(57)【要約】【課題】プリンター部にスキャナー部が取り付ける可能となる画像形成装置において、専用の外装カバー等の部品を取り替えることなく、また、廃棄物を出すこともなく、プリンター部にスキャナー部を容易に取り付けることができる、画像形成装置を提供する。【解決手段】画像形成装置１０は、プリンター部１２と、プリンター部１２に後付けで取り付け可能となるスキャナー部１４とを有する。プリンター部１２は、スキャナー部１４と取り付けられる接続部位に凹形状部としてのたとえば溝部１８を含む。スキャナー部１４は、当該溝部１８に嵌装される凸形状部４２を含む。プリンター部１２の溝部１８には、溝部１８を蓋うように、カバー部材５０が着脱自在に取り付けられている。また、このプリンター部１２にスキャナー部１４を取り付ける場合、溝部１８からカバー部材５０が取り外され、取り外されたカバー部材５０は、適宜、スキャナー部１４および／またはプリンター部１２に着脱自在に装着されるようになっている。【選択図】図９
2007271893.tif 000002
【特許請求の範囲】
【請求項１】
プリンター部および前記プリンター部に取り付け可能となるスキャナー部を有し、前記プリンター部は、前記スキャナー部と取り付けられる接続部位を含む、画像形成装置であって、
前記接続部位に着脱自在に取り付けられるカバー部材を含み、
前記接続部位から取り外された前記カバー部材は、前記スキャナー部および／または前記プリンター部に着脱自在に装着されて再利用可能となることを特徴とする、画像形成装置。
【請求項２】
前記カバー部材が前記接続部位に取り付けられたときに、前記カバー部材は、前記プリンター部の外装部の一部として構成されることを特徴とする、請求項１に記載の画像形成装置。
【請求項３】
前記プリンター部と前記スキャナー部とを接続する配線を含み、
前記プリンター部に前記スキャナー部が取り付けられるときには、前記接続部位から取り外された前記カバー部材が、前記スキャナー部および／または前記プリンター部に取り付けられ、前記配線を保持することが可能な配線カバーとして構成されることを特徴とする、請求項１に記載の画像形成装置。
【請求項４】
前記接続部位から取り外された前記カバー部材は、前記スキャナー部および／または前記プリンター部に取り付けられ、取扱説明書、書類、書類入れ、書類止め具、筆記具等の物品を収納するための収納部として構成されることを特徴とする、請求項１に記載の画像形成装置。
【請求項５】
前記プリンター部は、前記スキャナー部と取り付けられる接続部位に凹形状部を含み、前記スキャナー部は、前記凹形状部に嵌装される凸形状部を含み、前記カバー部材は、前記凹形状部を蓋うように、前記プリンター部の凹形状部に着脱自在に取り付けられ、前記凹形状部から取り外された前記カバー部材は、前記スキャナー部および／または前記プリンター部に着脱自在に装着されて再利用可能となることを特徴とする、請求項１に記載の画像形成装置。
【発明の詳細な説明】
【技術分野】
【０００１】
本願発明は、プリンター、複写機、ファクシミリ装置およびそれらの機能を併せ持つ複合機等の画像形成装置に関し、特に、たとえばプリンター部にスキャナー部が取り付け可能となる、画像形成装置に関する。
【背景技術】
【０００２】
従来、スキャナー部をたとえば後付でプリンター部に取り付けることができる構造を備えた複写機等の画像形成装置において、プリンター部は、スキャナー部が取り付けられていない状態で、つまり、プリンター部単体で完成された状態で出荷される。そのため、プリンター部には、スキャナー部をプリンター部に取り付けるための取付け用の穴、突起等の取付け構造を有しないプリンター部専用の外装カバーが取り付けられていた。
そして、プリンター部にスキャナー部を取り付ける場合、プリンター部からプリンター部専用の外装カバーを取り外し、スキャナー部をプリンター部に取り付けるための取り付け用の穴、突起等の取り付け構造を有するスキャナー部専用の外装カバーに取り替えた後、スキャナー部をプリンター部に取り付けていた。
また、プリンター部にスキャナー部を取り付ける場合には、スキャナー部に独立した固定用脚部を設けて、プリンター部専用の外装カバーに影響のないようにスキャナー部をそれ単体でプリンター部に自立させる構造としていた。
【発明の開示】
【発明が解決しようとする課題】
【０００３】
しかしながら、プリンター部専用の外装カバーからスキャナー部専用の外装カバーに取り替えて、プリンター部にスキャナー部を取り付ける構造では、プリンター部専用の外装カバーが廃棄物となっていたため、損失が大きく、また、廃棄物が増加することは環境面、リサイクルや製品回収の面でも不具合が生じるものであった。
一方、プリンター部専用の外装カバーに影響のない状態で、固定用脚部を備えたスキャナー部をプリンター部に取り付けて自立させる構造では、スキャナー部の固定用脚部を構成する部品およびボルト，ビス，ブラケット等の取付け用の部品点数が多く、取り付け構造も複雑なものとなっていたので、スキャナー部の取り付け性が決して良いものとはいえなかった。また、スキャナー部を取り付けた時の一体感に欠け、外観デザインも満足のいくものでもなかった。
【０００４】
それゆえに、本願発明の主たる目的は、プリンター部にスキャナー部が取り付ける可能となる画像形成装置において、専用の外装カバー等の部品を取り替えることなく、また、廃棄物を出すこともなく、プリンター部にスキャナー部を容易に取り付けることができる、画像形成装置を提供することである。
【課題を解決するための手段】
【０００５】
請求項１にかかる本願発明は、プリンター部と、プリンター部に取り付け可能となるスキャナー部とを有し、プリンター部は、スキャナー部と取り付けられる接続部位を含む、画像形成装置であって、接続部位に着脱自在に取り付けられるカバー部材を含み、接続部位から取り外されたカバー部材は、スキャナー部および／またはプリンター部に着脱自在に装着されて再利用可能となることを特徴とする、画像形成装置である。
請求項１にかかる本願発明では、接続部位からカバー部材を取り外し、プリンター部の接続部位にスキャナー部が取り付けられる。この場合、たとえばプリンター部に設けられたプリンター部専用の外装カバーを、スキャナー部を取付けるための取り付け手段を設けたスキャナー部専用の外装カバー等の部品と交換する必要がない。また、プリンター部の接続部位から取り外されたカバー部材は、スキャナー部および／またはプリンター部に着脱自在に装着して再利用可能となる構造を有しているため、カバー部材を廃棄処理する必要がない。
請求項２にかかる本願発明は、請求項１にかかる発明に従属する発明であって、カバー部材がプリンター部の接続部位に取り付けられたときに、カバー部材は、プリンター部の外装部の一部として構成されることを特徴とする、画像形成装置である。
請求項２にかかる本願発明では、プリンター部にスキャナー部が取り付けられない場合、カバー部材がプリンター部の接続部位に取り付けられ、プリンター部の外装部の一部として機能しているため、プリンター部単体でも、カバー部材の影響を受けることなく使用することが可能となる。
請求項３にかかる本願発明は、請求項１または請求項２にかかる発明に従属する発明であって、プリンター部とスキャナー部とを接続する配線を含み、プリンター部にスキャナー部が取り付けられるときには、プリンター部の接続部位から取り外されたカバー部材は、スキャナー部および／またはプリンター部に取り付けられ、配線を保持することが可能な配線カバーとして構成されることを特徴とする、画像形成装置である。
請求項３にかかる本願発明では、プリンター部の接続部位から取り外したカバー部材をスキャナー部および／またはプリンター部に取り付け、たとえばスキャナー部とプリンター部とを繋ぐ配線を保持する配線カバーとして機能させることで、煩雑に広がる配線を集約、固定することが可能となる。この場合、カバー部材は、外観上、違和感のないものとなる。
請求項４にかかる本願発明は、請求項１または請求項２にかかる発明に従属する発明であって、接続部位から取り外されたカバー部材は、スキャナー部および／またはプリンター部に取り付けられ、取扱説明書、書類、書類入れ、書類止め具、筆記具等の物品を収納するための収納部として構成されることを特徴とする、画像形成装置である。
請求項４にかかる本願発明では、プリンター部の接続部位から取り外されたカバー部材が収納部を構成するため、その収納部に取扱説明書、書類、書類入れ、書類止め具、筆記具等の物品が収納可能となる。この場合、カバー部材は、たとえばコの字状に形成されるとより好ましいものとなる。
請求項５にかかる本願発明では、プリンター部が、スキャナー部と取り付けられる接続部位に凹形状部を含み、スキャナー部は、凹形状部に嵌装される凸形状部を含み、カバー部材は、凹形状部を蓋うように、プリンター部の凹形状部に着脱自在に取り付けられ、凹形状部から取り外されたカバー部材は、スキャナー部および／またはプリンター部に着脱自在に装着されて再利用可能となる構成とすることができる。
この場合、プリンター部に取り付けられたカバー部材を取り外し、プリンター部の凹形状部にスキャナー部の凸形状部を嵌装させるだけで、簡易にスキャナー部をプリンター部に後付けするための構造を有している。そのため、ボルト・ナット、ビス等の締結手段を必要とせずに、プリンター部にスキャナー部を容易に取り付けることができる。したがって、プリンター部にスキャナー部を後付けする際に、たとえばプリンター部に設けられたプリンター部専用の外装カバーを、スキャナー部を取付けるための取り付け手段を設けたスキャナー部専用の外装カバー等の部品と交換する必要がない。また、プリンター部から取り外されたカバー部材は、スキャナー部および／またはプリンター部に着脱自在に装着して再利用可能となる構造を有しているため、カバー部材を廃棄処理する必要がない。
また、本願発明にかかる画像形成装置では、カバー部材が、接続部材に取り付けられ、プリンター部とスキャナー部との接続部位を補強する機能を有する構成としてもよい。
さらに、本願発明にかかる画像形成装置では、カバー部材がプリンター部の凹形状部に取り付けられたときに、カバー部材は、カバー部材の周囲のプリンター部の外装面と略同一平面になる構造を有することが好ましい。この場合、プリンター部の外装面には、カバー部材が突起部として突出することがないため、プリンター部単体を梱包して出荷するときでも、梱包材がカバー部材に当たり破損する恐れがない。また、カバー部材は、たとえば梱包に対して固定された梱包用のカバーと同等の強度は不要となり、簡易的な設計とすることが可能となる。
また、上述した画像形成装置では、プリンター部の凹形状部が、係止凹部および／または係止凸部、あるいは、穴部を含み、スキャナー部の凸形状部は、プリンター部の係止凹部および／または係止凸部、あるいは、穴部に凹凸係止可能な係止部を含むとよい。
【発明の効果】
【０００６】
本願発明によれば、プリンター部にスキャナー部が取り付け可能となる画像形成装置において、後付け用の部品を必要とすることなく、また、廃棄物を出すこともなく、プリンター部にスキャナー部を容易に取り付けることができる、画像形成装置が得られる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、本願発明にかかる画像形成装置の実施形態の一例を示す概略斜視図であり、図２は、図１に示す画像形成装置の背面側を示す概略斜視図である。本実施形態例では、画像形成装置の一例としての複写機について説明する。
複写機１０は、プリンター部１２およびプリンター部１２の上に取り付けられるスキャナー部１４を含む。プリンター部１２とスキャナー部１４とは、信号送信用等のたとえばケーブル，ハーネスを含む配線部１６により接続されている。なお、配線部１６は、プリンター部１２からスキャナー部１４へ電源を供給する電源用のケーブル，ハーネスも有している。プリンター部１２には、スキャナー部１４が取り付け可能となっている。
【０００９】
プリンター部１２は、図５に示すように、凹形状部としてのたとえば２つの溝部１８を含む。この２つの溝部１８は、プリンター部１２とスキャナー部１４とが取り付けられる接続部位に配設されている。２つの溝部１８は、プリンター部１２の上面両側に配設されている。２つの溝部１８は、プリンター部１２の後端からプリンター部の前面側に所定の長さをもって配設されている。２つの溝部１８は、同様の構造を有しているので、一方の溝部１８について説明する。
溝部１８は、平面視矩形状で且つ断面「コ」字状に形成され、所定の深さを有する。溝部１８は、その長手方向の一方端側（プリンター部１２の後面側）に「コ」字状の開放口端２０を有する。溝部１８の底面２２（以下、溝面２２という。）には、その長手方向の一方側に係止凸部２４が配設されている。係止凸部２４は、図５に示すように、溝面２２の長手方向の一方側（プリンター部１２の後面側）に配設され、たとえば２条のスリット２６で囲まれたスナップ片２８を含む。２条のスリット２６で囲まれたスナップ片２８は弾性を有する。さらに、スナップ片２８の上面には、たとえば断面三角形状のスナップ突起３０が形成されている。スナップ突起３０は、たとえば図６に示すように、勾配面３２を有する。勾配面３２は、スナップ突起３０の頂端側から溝面２２の開放口端２０側へ向いて漸次低くなるように形成されている。
【００１０】
また、溝部１８は、図５，図７に示すように、たとえば２つの係止凹部３４を有する。この係止凹部３４は、たとえば断面矩形状のガイド突起片３８とその下の溝面２２との間に設けられたスペースで構成されている。この場合、ガイド突起片３８は、溝面２２の幅方向の両側で対向して立設する一方の溝壁面３６ａの長手方向に所定の間隔を隔てて配設されている。ガイド突起片３８は、溝壁面３６ａの高さ方向の中間部に配設されている。
なお、ガイド突起片３８の下方の溝面２２に設けられた孔３９は、成形型の抜き孔である。
【００１１】
スキャナー部１４は、図１，図２，図４に示すように、スキャナー部１４をプリンター部１２の上面に後付けで取り付けられるたとえば２つの支持脚部４０を有する。２つの支持脚部４０は、それぞれ、その下部に、図５，図７に示すように、上述したプリンター部１２の溝部１８に嵌装される凸形状部４２を含む。２つの凸形状部４２は、たとえば断面Ｌ字状に形成されている。凸形状部４２は、支持脚部４０から下方に延びる断面略四角形筒状の凸部本体４４と、凸部本体４４から外方に張り出た張出し部４６とを備え、張出し部４６は、上述した係止凹部３４に挿嵌されて係止される係止部としての機能を有するものである。
【００１２】
また、２つの凸形状部４２の内側には、それぞれ、図５，図６に示すように、他の係止部としてのたとえば断面「コ」字状の突出片４８が配設されている。２つの突出片４８は、それぞれ、支持脚部４０の内方に向いて突出している。突出片４８は、凸部本体４４の長手方向の一方の内側に配設され、凸部本体４４の外面から内面に向けて「コ」字形に凹んだ構造となっている。
【００１３】
ここで、プリンター部１２にスキャナー部１４を取り付ける場合について、図５，図６，図７を参照しながら説明する。
本実施形態例では、プリンター部１２の溝部１８にスキャナー部１４の支持脚部４０が嵌装されることによって、プリンター部１２とスキャナー部１４とが結合される。プリンター部１２の後面側から、凸形状部４２の突出片４８と反対側の部位が、溝部１８の開放口端２０を介して挿入され、凸形状部４２の底端面が溝面２２に沿ってスライドしながら嵌め込まれる。
【００１４】
この場合、凸形状部４２の底端面は、スナップ突起３０の勾配面３２に沿って挿入される。また、凸形状部４２の底端部が係止凸部２４のスナップ片２８の弾性による付勢力に抗してスナップ突起３０を下に押圧した状態で、凸形状部４２の張出し部４６が、図７に示すように、溝部１８の２つのガイド突起片３８と溝面２２との間に構成された２つの係止凹部３４に挿入される。なお、スナップ突起３０の勾配面３２は、その頂端側から溝面２２の開放口端２０側へ向いて漸次低くなるように形成されているため、凸形状部４２の底端面は、溝面２２の開放口端２０側から挿入し易いものとなっている。
【００１５】
そして、支持脚部４０の凸形状部４２は、ガイド突起片３８の下面を案内面として、図５に示す溝部１８の突き当たり面４９に当接する位置まで挿入される。凸形状部４２が突き当たり面４９に当接されると、図７に示すように、溝部１８の２つの係止凹部３４と凸形状部４２の張出し部４６とが凹凸係止されると共に、図６に示すように、溝部１８の係止凸部２４のスナップ突起３０と、凸形状部４２の突出片４８とが凹凸係止され、プリンター部１２の溝部１８にスキャナー部１４が取り付けられる。そのため、容易にスキャナー部１４をプリンター部１２に取り付けることができる。すなわち、本実施形態例では、プリンター部１２の溝部１８にスキャナー部１４の支持脚部４０を嵌装させるだけでよいため、ボルト・ナット、ビス等の締結手段が不要となり、プリンター部にスキャナー部を簡単に取り付けることができる。
【００１６】
なお、本実施形態例では、プリンター部１２の凹形状部としての溝部１８に、係止凸部２４および係止凹部３４を配設し、スキャナー部１４の凸形状部４２に、係止凸部２４に凹凸係止される突出片４８と、係止凹部３４に凹凸係止される張り出し部４６とを配設したが、プリンター部１２の凹形状部に、係止凹部および／または係止凸部、あるいは、穴部を配設し、スキャナー部１４の凸形状部に、プリンター部１２の係止凹部および／または係止凸部、あるいは、穴部に凹凸係止可能な係止部を配設するようにしてもよい。
【００１７】
本実施形態例では、プリンター部１２にスキャナー部１４を取り付けていない場合、たとえば図３に示すように、プリンター部１２の２つの溝部１８に、それぞれ、溝部１８を蓋うカバー部材５０が着脱自在に取り付けられることによって、プリンター部１２の外装部の一部として機能するものとなっている。そのため、プリンター部１２は、それ単体でも、カバー部材５０の影響を受けることなく使用することができる。
【００１８】
そこで、カバー部材５０、および、カバー部材５０とプリンター部１２の溝部１８との取り付け構造について、特に、たとえば図８を参照しながら説明する。
カバー部材５０は、たとえば「コ」字形で矩形のカバー本体５２を含む。カバー本体５２は、その幅方向の一方側にたとえば２つの矩形状の切欠き部５４を有する。２つの切欠き部５４は、カバー本体５２の長手方向に所定の間隔を隔てて配置されている。２つの切欠き部５４の切欠き長さは、プリンター部１２の溝部１８に配設されたガイド突起片３８の長手方向の長さよりも僅かに長く形成されている。
【００１９】
また、カバー本体５２の長手方向の一端部には、その両側にたとえば略Ｌ字形の係止爪片５６が配設されている。さらに、カバー本体５２の長手方向の他端側には、その両側にたとえばスナップ係止片５８が配設されている。なお、このスナップ係止片５８は、たとえばプリンター部１２の溝面２２に設けた係止凸部２４と同じような構造に形成されていてもよい。
【００２０】
一方、プリンター部１２の溝部１８は、その突き当たり面４９に、上述した係止爪片５６が係止される係止穴（図示せず）を有する。この係止穴（図示せず）は、溝部１８の突き当たり面４９において、２つの係止爪片５６と対向する位置に、配置されている。
【００２１】
また、溝部１８は、その幅方向の両側で対向して立設する一方の溝壁面３６ａおよび他方の溝壁面３６ｂに、それぞれ、上述したスナップ係止片５８が係止される係止穴６０ａおよび６０ｂ（係止穴６０ｂは図示せず）を有する。係止穴６０ａおよび６０ｂ（係止穴６０ｂは図示せず）は、溝部１８の一方の溝壁面３６ａおよび他方の溝壁面３６ｂにおいて、スナップ係止片５８と対向する位置に、それぞれ配置されている。
【００２２】
カバー部材５０は、その係止爪片５６を溝部１８の突き当たり面４９に設けた係止穴（図示せず）に係止し、そのスナップ係止片５８を溝部１８の対向する溝壁面３６ａ，３６ｂに設けられた係止穴６０ａ，６０ｂ（係止穴６０ｂは図示せず）に係止させることによって、プリンター部１２の溝部１８に簡単に着脱自在に取り付けることが可能となる。この場合、カバー本体５２の切欠き部５４は、カバー本体５２が溝部１８の係止凸部３４のガイド突起片３８に当たらないようにするための逃し部としての機能を有している。
【００２３】
また、本実施形態例では、プリンター部１２の外装部位（外装面）の一部に設けられた溝部１８の深さと、該溝部１８に嵌め込まれるカバー部材５０の嵌装部の高さとが、略同一に形成されているので、カバー部材５０を溝部１８に取り付けた場合に、カバー部材５０とその周囲のプリンター部１２の外装面（外装部）とは、略同一平面に形成される。すなわち、プリンター部１２の外装面には、カバー部材５０が突起部として突出することがないため、プリンター部１２単体を梱包して出荷するときでも、梱包材がカバー部材５０に当たり破損することが防止される。また、カバー部材５０は、たとえば梱包に対して固定された梱包用のカバーと同等の強度が有する必要が無く、簡易的な設計とすることができる。
【００２４】
さらに、本実施形態例では、プリンター部１２にスキャナー部１４が取り付けられるときには、たとえば図４に示すように、プリンター部１２の２つの溝部１８から２つのカバー部材５０が取り外される。そして、２つのカバー部材５０は、図９に示すように、それぞれ、スキャナー部１４の後面に装着され、たとえば配線部１６の配線カバーとして構成される。そのため、カバー部材５０は、煩雑に広がる配線を集約、固定することができる。
【００２５】
本実施形態例では、２つのカバー部材５０が、図１０に示すように、たとえばスキャナー部１４の後面の両側に装着される。スキャナー部１４の後面の両側には、それぞれ、配線部１６を集約し固定するのに適宜な箇所に、たとえば縦長矩形の４つの係止穴６２と、たとえば横長矩形の１つの係止穴６４とが配設される。４つの係止穴６２は、カバー部材５０の４つの係止爪片５６と対応する位置に、１つの係止穴６４は、カバー部材５０の２つのスナップ係止片５８と対応する位置に、それぞれ配設されている。また、係止穴６４は、幅方向の長さと略同じか僅かに大きく形成されている。
【００２６】
２つのカバー部材５０は、それぞれ、４つの係止爪片５６が４つの係止穴６２に挿入されて係止され、２つのスナップ係止片５８が１つの係止穴６４に挿入されて係止されることによって、スキャナー部１４の後面の両側に装着される。この場合、２つのカバー部材５０は、それぞれ、カバー部材５０とスキャナー部１４の後面との間で配線部１６のケーブル，ハーネス等を押さえるように取り付けられ、配線部１６をスキャナー部１４の後面の左右2箇所に分けてまとめることができ、外観上も違和感なくスキャナー部１４に装着される。
なお、本実施形態例では、プリンター部１２の溝部１８から取り外されたカバー部材５０が、配線カバーとして、たとえばスキャナー部１４の後面側に装着されたが、カバー部材５０は、プリンター部１２の後面側に装着してもよく、あるいは、プリンター部１２およびスキャナー部１４の双方に装着するようにしてもよい。
【００２７】
また、図９，図１０に示す実施形態例では、プリンター部１２の溝部１８から取り外されたカバー部材５０が、配線カバーとして、たとえばスキャナー部１４の後面側に装着されたが、それに限定されるものではなく、カバー部材５０は、たとえばプリンター部１２とスキャナー部１４との接続部位に取り付けられ、プリンター部１２とスキャナー部１４との接続部位を補強する補強カバーとして再利用する構成としてもよい。
さらに、カバー部材は、たとえば図１１に示すように、スキャナー部１４の側面側に装着され、プリンター部１２，スキャナー部１４に関する取扱説明書、読み取り原稿等の書類入れ、書類の止め具、筆記具等の物品を収納するためのサイドポケット部７０を構成するようにしてもよい。
【００２８】
すなわち、サイドポケット部７０は、たとえば平面視矩形で断面「コ」字状のポケット本体７２を含む。ポケット本体７２の長手方向両側の突き出し片７４の端部には、たとえば図８，図１０で示したカバー部材５０のスナップ係止片５８と同様のスナップ係止片（図示せず）が配設されている。また、スキャナー部１４の側面には、当該スナップ係止片（図示せず）が挿入されて係止される係止穴（図示せず）が配設されている。そして、当該スナップ係止片（図示せず）と当該係止穴（図示せず）とが凹凸係止されることによって、サイドポケット部７０とスキャナー部１４の側面との間に収納部７６が形成される。
なお、このサイドポケット７０は、スキャナー部１４の側面部に装着されるものに限定されることなく、たとえばプリンター部１２の側面、あるいは、プリンター部１２およびスキャナー部１４の側面部に適宜装着するようにしてもよい。
【００２９】
なお、本実施形態例では、プリンター部１２、スキャナー部１４の外装部位およびカバー部材５０およびサイドポケット部７０が、適宜、プラスチック材料および金属材料等で形成され得る。
【図面の簡単な説明】
【００３０】
【図１】本願発明にかかる画像形成装置の実施形態の一例を示す概略斜視図である。
【図２】図１に示す画像形成装置の背面側を示す概略斜視図である。
【図３】図１に示す画像形成装置のプリンター部にカバー部材を取り付けた状態の一例を示す概略斜視図である。
【図４】図３に示すプリンター部にスキャナー部を取り付ける場合の概略説明図である。
【図５】プリンター部とスキャナー部との取り付け構造の一例を示す要部分解斜視図である。
【図６】プリンター部にスキャナー部を取り付けた場合の図５に示すｘ−ｘ矢視線における断面図解図である。
【図７】プリンター部にスキャナー部を取り付けた場合の図５に示すｙ−ｙ矢視線における断面図解図である。
【図８】プリンター部とカバー部材との取り付け構造の一例を示す要部分解斜視図である。
【図９】プリンター部から取り外したカバー部材を配線カバーとして構成した状態の一例を示す説明図である。
【図１０】図９に示すカバー部材とスキャナー部との取り付け構造の一例を示す要部分解斜視図である。
【図１１】プリンター部から取り外したカバー部材の他の取り付け状態の一例を示す説明図である。
【符号の説明】
【００３１】
１０  複写機
１２  プリンター部
１４  スキャナー部
１６  配線部
１８  溝部（凹形状部）
２０  開放口端
２２  溝面（溝部の底面）
２４  係止凸部
２６  スリット
２８  スナップ片
３０  スナップ突起
３２  勾配面
３４  係止凹部
３６ａ，３６ｂ  溝壁面
３８  ガイド突起片
３９  孔
４０  支持脚部
４２  凸形状部
４４  凸部本体
４６  張出し部
４８  突出片
４９  溝部の突き当たり面
５０  カバー部材
５２  カバー本体
５４  切欠き部
５６  係止爪片
５８  スナップ係止片
６０ａ，６０ｂ，６２，６４  係止穴
７０  サイドポケット部
７２  ポケット本体
７４  突き出し片
７６  収納部
【図１】
2007271893.tif 000003
【図２】
2007271893.tif 000004
【図３】
2007271893.tif 000005
【図４】
2007271893.tif 000006
【図５】
2007271893.tif 000007
【図６】
2007271893.tif 000008
【図７】
2007271893.tif 000009
【図８】
2007271893.tif 000010
【図９】
2007271893.tif 000011
【図１０】
2007271893.tif 000012
【図１１】
2007271893.tif 000013